(57)【要約】【課題】  オブジェクトに応じて入力画像の圧縮率を設定できるようにすること。【解決手段】  オブジェクト検出ブロック９０で、入力されるフレーム単位の画像データに含まれる顔画像を検出し、顔画像が検出されたときは、データ処理エンコード／デコード部３１の量子化部７４において顔画像が含まれるマクロブロックの量子化係数を小さくし、それ以外のマクロブロックについては量子化係数を大きくするようにした。【選択図】図２
2005109606.tif 000002
【特許請求の範囲】
【請求項１】
入力画像情報に含まれる特定のオブジェクトを検出し、
前記特定のオブジェクトが検出されたときに、少なくとも前記入力画像情報に含まれる前記特定のオブジェクトについては圧縮率を変化させて圧縮する
ことを特徴とする信号処理方法。
【請求項２】
入力画像情報に含まれる特定のオブジェクトを検出するオブジェクト検出手段と、
前記オブジェクト検出手段により前記特定のオブジェクトが検出されたときに、少なくとも前記入力画像情報に含まれる前記特定のオブジェクトについては圧縮率を変化させて圧縮する画像圧縮手段と、
を備えていることを特徴とする信号処理装置。
【請求項３】
前記画像圧縮手段は、
前記オブジェクト検出手段により前記特定のオブジェクトが検出されたときに、前記入力画像情報のうち、前記特定のオブジェクトが含まれる領域の画像情報を、それ以外の領域の画像情報より小さい圧縮率で圧縮することを特徴とする請求項２に記載の信号処理装置。
【請求項４】
所要のオブジェクトの情報が格納されている格納手段と、
前記オブジェクト検出手段により検出された前記特定のオブジェクトが、前記格納手段に格納されている前記所要のオブジェクトと一致するかどうか照合する照合手段とをさらに備え、
前記画像圧縮手段は、
前記照合手段により、前記オブジェクト検出手段により検出された前記特定のオブジェクトが、前記格納手段に格納されている前記所要のオブジェクトと一致すると判別されたときに、前記特定のオブジェクトが含まれる前記入力画像情報全体の圧縮率を変化させて圧縮することを特徴とする請求項２に記載の信号処理装置。
【請求項５】
前記画像圧縮手段は、
前記照合手段により、前記オブジェクト検出手段により検出された前記特定のオブジェクトが、前記格納手段に格納されている前記所要のオブジェクトと一致すると判別されたときに、前記特定のオブジェクトが含まれる前記入力画像情報のうち、前記特定のオブジェクトが含まれる領域の画像情報を、それ以外の領域の画像情報より小さい圧縮率で圧縮することを特徴とする請求項４に記載の信号処理装置。
【請求項６】
入力画像情報に含まれる特定のオブジェクトを検出するオブジェクト検出手段と、
所要のオブジェクトの情報が格納されている格納手段と、
前記オブジェクト検出手段により検出された前記特定のオブジェクトが、前記格納手段に格納されている前記所要のオブジェクトと一致するかどうか照合する照合手段と、
前記照合手段の照合結果により、前記オブジェクト検出手段により検出された前記特定のオブジェクトが、前記格納手段に格納されている前記所要のオブジェクトと一致すると判別されたときに、前記特定のオブジェクトが含まれる前記入力画像情報を記録媒体に記録するための記録制御を行う記録制御手段と、
を備えることを特徴とする記録装置。
【請求項７】
前記オブジェクト検出手段により前記特定のオブジェクトが検出されたときに、前記特定のオブジェクトが含まれる前記入力画像情報のうち、前記特定のオブジェクトが含まれる領域の画像情報を、それ以外の領域の画像情報より小さい圧縮率で圧縮する画像圧縮手段を、さらに備えることを特徴とする請求項６に記載の記録装置。
【請求項８】
記録媒体から画像情報の読み出しを行う読出手段と、
前記読出手段により読み出された画像情報に対して所定のデコード処理を施して画像情報として出力するデコード手段と、
前記デコード手段から出力される画像情報から特定のオブジェクトを検出するオブジェクト検出手段と、
前記オブジェクト検出手段の検出結果に基づいて、前記読出手段による前記記録媒体から前記画像情報の読出動作の制御を行う読出制御手段と、
を備えていることを特徴とする再生装置。
【請求項９】
所要のオブジェクトが格納されている格納手段と、
前記オブジェクト検出手段により検出された前記特定のオブジェクトが、前記格納手段に格納されている前記所要のオブジェクトと一致するかどうか照合する照合手段とをさらに備え、
前記読出制御手段は、
前記照合手段の照合結果に基づいて、前記読出手段による前記記録媒体から前記画像情報の読出動作の制御を行うようにしたことを特徴とする請求項８に記載の再生装置。
【発明の詳細な説明】
【技術分野】
【０００１】
本発明は、例えば撮影した画像情報を記録媒体に記録したり、記録媒体に記録されている画像情報を再生する際に好適な信号処理方法と信号処理装置、及びそのような信号処理装置を備えた記録装置、再生装置に関するものである。
【背景技術】
【０００２】
近年、ユーザが撮影した撮影画像を光ディスクなどの記録媒体に記録したり、或いは記録媒体に記録されている画像を再生して表示することができるビデオカメラが提案されている。
【０００３】
上記したようなビデオカメラでは、カメラブロックで撮影した撮影画像をディスクなどに記録する際に、情報量を圧縮するために、例えばＭＰＥＧ(Moving Picture Experts Group)方式などの圧縮処理が行われている。ＭＰＥＧ方式の場合、カメラブロックからの画像情報は動き検出ブロックで動き検出が行われる。そして、この動きベクトルの検出結果と上記撮影画像に基づいて得られる画像情報にＤＣＴ（離散コサイン変換）を行う。そしてさらに、情報量を減らすために量子化ブロックにて再量子化を行い（高域成分を０にする）、ブロックを１フレームの画面左上となるブロックからジグザグとなるようにブロック順を並び代え、ランレングスコーディングを行ってさらに情報量を圧縮することで圧縮符号化を行うようにしている。
【０００４】
ところで、上記したような量子化ブロックでは、量子化係数に基づいて量子化が行われている。量子化係数は、小さければ小さいほど量子化雑音が小さくなり、高画質化を実現することができる。但し、量子化係数を小さくすると、それに伴って圧縮率もが小さくなるため圧縮符号化後の情報量は増加することになる。逆に、量子化係数を大きくすればするほど圧縮率が大きくなるので、圧縮符号化後の情報量を少なくできるが、この場合は、量子化雑音が大きくなるため画質は低下することになる。
【０００５】
量子化係数は、通常、上記動き検出ブロックの動きベクトル情報等から算出して決定するようにしている。このため、例えば撮影画像の動きが大きいときは、重要な画像として量子化係数を小さくして高画質化を図るようにしていた。また逆に撮影画像の動きが少ないときは重要な画像でないとして量子化係数を大きくして情報量を削減するようにしていた。しかし、撮影画像の重要度と動き量とは必ずしも一致するものではないため、必ずしも、動きベクトル情報を利用して量子化係数を決定することが適正であるとはいえないものであった。
【０００６】
そこで、量子化係数を決定する手法としては、撮像画像を重要な領域と、それ以外の領域とに分けて、画像の重要度に応じて適応的にビット割り付けを行う重み付け圧縮符号化が提案されている。
画像を重要な領域とそれ以外の領域に分割する指標としては、例えば人間の眼が日常肌色に多く接して敏感であることから、肌色に対して閾値を設定することで画像が重要であるか否かを判断する手法が知られている。そして、このような手法によれば、動画像に含まれる顔や手などの領域を検出することが可能になり、これらの領域に相当するマクロブロックに対して優先的にビットの割り当てを行うことで、視感から見た画質を改善することができるようになる。
【０００７】
また、下記特許文献１には、音声信号の特徴から話者を特定したり、顔や口の動きから発言者を特定し、音声情報や映像情報を記録してから所定期間経過後、或いは蓄積媒体の使用容量が所定値を越えたとき、または空き容量が所定値以下になったときに、音声信号から特定される区間の情報に基づいて音声情報や映像情報の圧縮率などを変更する技術が提案されている。
【０００８】
【特許文献１】特開平１０−２１４２７０号公報
【発明の開示】
【発明が解決しようとする課題】
【０００９】
しかしながら、上記したような人間の肌色を検出して、画像を重要な領域とそれ以外の領域とに分ける場合は、例えば背景色が肌色に似ているときの分離方法や、光線状況による色の変化、人種に対するロバストネスを改善する必要があった。
また、例えば画像に含まれるオブジェクトの重要度によって画像に割り当てる情報量を替えたり、或いは特定のオブジェクトだけを記録したい場合などは、上述したような肌色検出による画像分離では実現することができないものであった。
【００１０】
また、上記特許文献１に記載されている音声信号を利用した話者認識では、例えばフレーム単位で画像情報の圧縮率を変更することができるが、音声信号による話者認識だけではフレームごとに画像を重要な領域とそれ以外の領域に分離することは困難であった。
【課題を解決するための手段】
【００１１】
そこで、本発明は、上記したような点を鑑みてなされたものであり、本発明の信号処理方法は、入力画像情報に含まれる特定のオブジェクトを検出し、特定のオブジェクトが検出されたときに、少なくとも入力画像情報に含まれる特定のオブジェクトについては圧縮率を変化させて圧縮するようにした。
【００１２】
また本発明の信号処理装置は、入力画像情報に含まれる特定のオブジェクトを検出するオブジェクト検出手段と、オブジェクト検出手段により特定のオブジェクトが検出されたときに、少なくとも入力画像情報に含まれる特定のオブジェクトについては圧縮率を変化させて圧縮する画像圧縮手段とを備えることとした。
【００１３】
上記したような本発明によれば、入力画像情報に含まれる特定のオブジェクトを検出し、特定のオブジェクトが検出されたときに、少なくとも入力画像情報に含まれる特定のオブジェクトについては圧縮率を変化させるようにしている。これにより、オブジェクトに応じて入力画像情報の圧縮率を変えることが可能になる。
【００１４】
また、本発明の記録装置は、入力画像情報に含まれる特定のオブジェクトを検出するオブジェクト検出手段と、所要のオブジェクトの情報が格納されている格納手段と、オブジェクト検出手段により検出された特定のオブジェクトが、格納手段に格納されている所要のオブジェクトと一致するかどうか照合する照合手段と、照合手段の照合結果により、オブジェクト検出手段により検出された特定のオブジェクトが、格納手段に格納されている所要のオブジェクトと一致すると判別されたときに、特定のオブジェクトが含まれる入力画像情報を記録媒体に記録するための記録制御を行う記録制御手段とを備えることとした。
【００１５】
上記したような本発明の記録装置によれば、オブジェクト検出手段において入力画像情報から検出されたオブジェクトが、格納手段に格納されている所要のオブジェクトと一致するかどうか照合手段で照合し、その照合結果に基づいて、記録制御手段において入力画像情報を記録媒体に記録するための記録制御を行うようにしている。これにより、オブジェクト検出手段により検出されたオブジェクトに応じて、入力画像情報を記録媒体に記録する記録制御を行うことが可能になる。
【００１６】
また、本発明の再生装置は、記録媒体から画像情報の読み出しを行う読出手段と、読出手段により読み出された画像情報に対して所定のデコード処理を施して画像情報として出力するデコード手段と、デコード手段から出力される画像情報から特定のオブジェクトを検出するオブジェクト検出手段と、オブジェクト検出手段の検出結果に基づいて、読出手段による記録媒体から画像情報の読出動作の制御を行う読出制御手段とを備えることとした。
【００１７】
上記したような本発明の再生装置によれば、オブジェクト検出手段において、記録媒体からの画像情報からオブジェクトの検出を行い、その検出結果に基づいて、読出手段による記録媒体から画像情報の読出動作の制御を行うようにしている。これにより、オブジェクト検出手段により検出されたオブジェクトに応じて記録媒体から画像情報の読出動作の制御を行うことが可能になる。
【発明の効果】
【００１８】
このように本発明の信号処理方法及び信号処理装置は、入力画像情報に含まれる特定のオブジェクトを検出し、特定のオブジェクトが検出されたときに、少なくとも入力画像情報に含まれる特定のオブジェクトについては圧縮率を変化させるようにしている。例えば、重要とされるオブジェクトが含まれる画像情報については、それ以外の領域の画像情報より小さい圧縮率で圧縮して出力するようにしている。
これにより、重要とされるオブジェクト画像については高画質化を確保しつつ全体の画像情報量を減らすことが可能になる。
【００１９】
また本発明の記録装置は、オブジェクト検出手段において入力画像情報から検出されたオブジェクトが、格納手段に格納されている所要のオブジェクトと一致するかどうか照合手段で照合し、その照合結果に基づいて、記録制御手段において入力画像情報を記録媒体に記録するための記録制御を行うようにしている。これにより、オブジェクト検出手段により検出されたオブジェクトに応じて、入力画像情報を記録媒体に記録する記録制御を行うことが可能になる。例えば、記録媒体には重要とされるオブジェクトが含まれる入力画像情報だけを記録することが可能になり、記録媒体の記録容量を有効的に利用することが可能になる。
【００２０】
また本発明の再生装置は、オブジェクト検出手段において、記録媒体からの画像情報からオブジェクトの検出を行い、その検出結果に基づいて、読出手段による記録媒体から画像情報の読出動作の制御を行うようにしている。これにより、オブジェクト検出手段により検出されたオブジェクトに応じて記録媒体から画像情報の読出動作の制御を行うことが可能になるので、例えば、記録媒体から必要とされるオブジェクトを含む画像情報をサーチして読み出すといったことが可能になる。
【発明を実施するための最良の形態】
【００２１】
以下、本発明の実施の形態について説明していく。
本実施の形態では、カメラ装置部と画像（静止画又は動画）及び音声の記録再生が可能な記録再生装置部とが一体化されたビデオカメラを例にあげる。
説明は次の順序で行う。
１．ビデオカメラの構成
２．エンコードブロックの構成例
３．オブジェクト検出ブロックの構成
４．エンコードブロックの他の構成例
５．デコードブロックの構成例
６．話者認識部の構成例
【００２２】
１．ビデオカメラの構成
図１は、本実施の形態とされるビデオカメラの構成例を示したブロック図である。
この図に示すレンズブロック１においては、例えば実際には撮像レンズや絞りなどを備えて構成される光学系１１が備えられている。レンズブロック１には、光学系１１に対してオートフォーカス動作を行わせるためのフォーカスモータや、操作部７の操作に基づくズームレンズの移動を行うためのズームモータなどが、モータ部１２として備えられる。
【００２３】
カメラブロック２には、主としてレンズブロック１により撮影した画像光をデジタル画像信号に変換するための回路部が備えられる。
このカメラブロック２のＣＣＤ(Charge Coupled Device) ２１に対しては、光学系１１を透過した被写体の光画像が与えられる。ＣＣＤ２１においては上記光画像について光電変換を行うことで撮像信号を生成し、サンプルホールド／ＡＧＣ(Automatic Gain Control)回路２２に供給する。サンプルホールド／ＡＧＣ回路２２では、ＣＣＤ２１から出力された撮像信号についてゲイン調整を行うと共に、サンプルホールド処理を施すことによって波形整形を行う。サンプルホールド／ＡＧＣ回路２の出力は、ビデオＡ／Ｄコンバータ２３に供給されることで、デジタルとしての画像データに変換される。
【００２４】
上記ＣＣＤ２１、サンプルホールド／ＡＧＣ回路２２、ビデオＡ／Ｄコンバータ２３における信号処理タイミングは、タイミングジェネレータ２４にて生成されるタイミング信号により制御される。タイミングジェネレータ２４では、後述するデータ処理エンコード／デコード部３１（ビデオ信号処理部３内）にて信号処理に利用されるクロックが入力され、このクロックに基づいて所要のタイミング信号を生成するようにされる。これにより、カメラブロック２における信号処理タイミングを、ビデオ信号処理部３における処理タイミングと同期させるようにしている。
【００２５】
カメラコントローラ２５は、カメラブロック２内に備えられる上記各機能回路部が適正に動作するように所要の制御を実行すると共に、レンズブロック１に対してオートフォーカス、自動露出調整、絞り調整、ズームなどのための制御を行うものとされる。
例えばオートフォーカス制御であれば、カメラコントローラ２５は、所定のオートフォーカス制御方式に従って得られるフォーカス制御情報に基づいて、フォーカスモータの回転角を制御する。これにより、撮像レンズはジャストピント状態となるように駆動されることになる。
【００２６】
ビデオ信号処理部３は、記録時においては、カメラブロック２から供給されたデジタル画像信号、及びマイクロフォン２０２により集音したことで得られるデジタル音声信号について圧縮処理を施し、これら圧縮データをユーザ記録データとして後段のメディアドライブ部４に供給する。さらにカメラブロック２から供給されたデジタル画像信号とキャラクタ画像により生成した画像をビューファインダドライブ部２０７に供給し、ビューファインダ２０４に表示させる。
【００２７】
また、再生時においては、メディアドライブ部４から供給されるユーザ再生データ（光ディスク５１からの読み出しデータ）、つまり圧縮処理された画像データ及び音声データについて復調処理を施し、これらを再生画像信号、再生音声信号として出力する。
【００２８】
なお、本実施の形態において、画像データの圧縮／伸張処理方式としては、動画像についてはＭＰＥＧ(Moving Picture Experts Group)２を採用している。また、音声データの圧縮／伸張処理方式には、ＡＴＲＡＣ(Adaptive Transform Acoustic Coding) 方式（ＡＴＲＡＣ、ＡＴＲＡＣ２、ＡＴＲＡＣ３等）を採用するものとする。
【００２９】
ビデオ信号処理部３のデータ処理エンコード／デコード部３１は、主として、当該ビデオ信号処理部３における画像データ及び音声データの圧縮／伸張処理に関する制御処理と、ビデオ信号処理部３を経由するデータの入出力を司るための処理を実行する。
【００３０】
またデータ処理エンコード／デコード部３１を含むビデオ信号処理部３全体についての制御処理は、ビデオコントローラ３３が実行するようにされる。このビデオコントローラ３３は、例えばマイクロコンピュータ等を備えて構成され、カメラブロック２のカメラコントローラ２５、及び後述するメディアドライブ部４のドライバコントローラ４６と、例えば図示しないバスライン等を介して相互通信可能とされている。
【００３１】
音声圧縮エンコーダ／デコーダ部３２には、Ａ／Ｄコンバータ６４（表示／画像／音声入出力部６内）を介して、例えばマイクロフォン２０２により集音された音声がデジタルによる音声データとして入力される。
音声圧縮エンコーダ／デコーダ部３２では、ＡＴＲＡＣ方式のフォーマットに従って入力された音声データに対する圧縮処理を施すようにされる。
【００３２】
表示／画像／音声入出力部６においては、ビデオＤ／Ａコンバータ６１に入力された画像データは、ここでアナログ画像信号に変換され、表示コントローラ６２及びコンポジット信号処理回路６３に対して分岐して出力される。
【００３３】
表示コントローラ６２では、入力された画像信号に基づいて表示部６Ａを駆動する。これにより、表示部６Ａにおいて再生画像の表示が行われる。また、表示部６Ａにおいては、光ディスク５１から再生して得られる画像の表示だけでなく、当然のこととして、レンズブロック１及びカメラブロック２からなるカメラ部位により撮影して得られた撮像画像も、ほぼリアルタイムで表示出力させることが可能である。
【００３４】
また、再生画像及び撮像画像の他、前述のように、機器の動作に応じて所要のメッセージをユーザに知らせるための文字やキャラクタ等によるメッセージ表示も行われるものとされる。このようなメッセージ表示は、例えばビデオコントローラ３３の制御によって、所要の文字やキャラクタ等が所定の位置に表示されるように、データ処理エンコード／デコード部３１からビデオＤ／Ａコンバータ６１に出力すべき画像データに対して、所要の文字やキャラクタ等の画像データを合成する処理を実行するようにすればよい。
【００３５】
コンポジット信号処理回路６３では、ビデオＤ／Ａコンバータ６１から供給されたアナログ画像信号についてコンポジット信号に変換して、ビデオ出力端子Ｔ１に出力する。例えば、ビデオ出力端子Ｔ１を介して、外部モニタ装置等と接続を行えば、当該ビデオカメラで再生した画像を外部モニタ装置により表示させることが可能となる。
【００３６】
また、表示／画像／音声入出力部６において、音声圧縮エンコーダ／デコーダ部３２からＤ／Ａコンバータ６５に入力された音声データは、ここでアナログ音声信号に変換され、ヘッドフォン／ライン端子Ｔ２に対して出力される。また、Ｄ／Ａコンバータ６５から出力されたアナログ音声信号は、アンプ６６を介してスピーカＳＰに対しても分岐して出力され、これにより、スピーカＳＰからは、再生音声等が出力されることになる。
【００３７】
メディアドライブ部４では、主として、記録時には記録データをディスク記録に適合するようにエンコードしてデッキ部５に伝送し、再生時においては、デッキ部５において光ディスク５１から読み出されたデータについてデコード処理を施すことで再生データを得て、ビデオ信号処理部３に対して伝送する。
【００３８】
このメディアドライブ部４のエンコーダ／デコーダ４１は、記録時においては、データ処理エンコード／デコード部３１から記録データ（圧縮画像データ＋圧縮音声データ）が入力され、この記録データについて、光ディスク５１の記録フォーマットに準拠したエンコード処理を施し、このエンコードされたデータを一時バッファメモリ４２に蓄積する。そして、所要のタイミングで読み出しを行いながらデッキ部５に伝送する。
【００３９】
再生時においては、光ディスク５１から読み出され、ＲＦ信号処理回路４４、二値化回路４３を介して入力されたデジタル再生信号について、所定のフォーマットに従ったデコード処理を施して、再生データとしてビデオ信号処理部３のデータ処理エンコード／デコード部３１に対して伝送する。
【００４０】
なお、この際においても、必要があれば再生データを一旦バッファメモリ４２に蓄積し、ここから所要のタイミングで読み出したデータをデータ処理エンコード／デコード部３１に伝送出力するようにされる。このような、バッファメモリ４２に対する書き込み／読み出し制御はドライバコントローラ４６が実行するものとされる。
なお、例えば光ディスク５１の再生時において、外乱等によってサーボ等が外れて、ディスクからの信号の読み出しが不可となったような場合でも、バッファメモリ４２に対して読み出しデータが蓄積されている期間内にディスクに対する再生動作を復帰させるようにすれば、再生データとしての時系列的連続性を維持することが可能となる。
【００４１】
ＲＦ信号処理回路４４には、光ディスク５１からの読み出し信号について所要の処理を施すことで、例えば、再生データとしてのＲＦ信号、デッキ部５に対するサーボ制御のためのフォーカスエラー信号、トラッキングエラー信号等のサーボ制御信号を生成する。ＲＦ信号は、上記のように二値化回路４３により２値化され、デジタル信号データとしてエンコーダ／デコーダ４１に入力される。
また、生成された各種サーボ制御信号はサーボ回路４５に供給される。サーボ回路４５では、入力したサーボ制御信号に基づいて、デッキ部５における所要のサーボ制御を実行する。
【００４２】
デッキ部５は、光ディスク５１を駆動するための機構からなる部位とされる。ここでは図示しないが、デッキ部５においては、装填されるべき光ディスク５１が着脱可能とされ、ユーザの作業によって交換が可能な機構を有しているものとされる。
【００４３】
デッキ部５においては、装填された光ディスク５１がスピンドルモータ５２によって回転駆動される。この光ディスク５１に対しては記録／再生時に光学ヘッド５３によってレーザ光が照射される。
光学ヘッド５３は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド５３には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５３に備えられる対物レンズとしては、例えば２軸機構によってディスク半径方向及びディスクに接離する方向に変位可能に保持されている。
また、図示しないが、デッキ部５においては、スレッドモータ５４により駆動されるスレッド機構が備えられている。このスレッド機構が駆動されることにより、上記光学ヘッド５３全体はディスク半径方向に移動可能とされている。
【００４４】
操作部７には、当該ビデオカメラの各種操作を行うための各種操作子が備えられている。そして、これらの操作子によるユーザの各種操作情報は例えばビデオコントローラ３３に供給される。ビデオコントローラ３３は、ユーザー操作に応じた必要な動作が各部において実行されるようにするための操作情報、制御情報をカメラコントローラ２５、ドライバコントローラ４６に対して供給する。
【００４５】
外部インターフェイス８は、当該ビデオカメラと外部機器とでデータを相互伝送可能とするために設けられており、例えば図のようにＩ／Ｆ(インターフェース）端子Ｔ３とビデオ信号処理部間に対して設けられる。なお、外部インターフェイス８としてはここでは特に限定されるものではないが、例えばＩＥＥＥ１３９４等が採用されればよい。
例えば、外部のデジタル画像機器と本実施の形態のビデオカメラをＩ／Ｆ端子Ｔ３を介して接続した場合、ビデオカメラで撮影した画像（音声）を外部デジタル画像機器に録画したりすることが可能となる。また、外部デジタル画像機器にて再生した画像（音声）データ等を、外部インターフェイス８を介して取り込むことにより、ディスクフォーマットに従って光ディスク５１に記録するといったことも可能となる。更には、例えばキャプションの挿入などに利用する文字情報としてのファイルも取り込んで記録することが可能となる。
【００４６】
計時部３４は現在日時を計時し、ビデオコントローラ３３から要求が有れば、ビデオコントローラ３３に対して現在日時を出力できるようにされている。
フラッシュメモリ３５は、いわゆる不揮発性メモリの一種であり、ユーザによって入力される主な被写体や撮影者の情報が記憶することができるようにされる。
【００４７】
電源ブロック９は、内蔵のバッテリにより得られる直流電源あるいは商用交流電源から生成した直流電源を利用して、各機能回路部に対して所要のレベルの電源電圧を供給する。電源ブロック９による電源オン／オフは、操作部７の操作に応じてビデオコントローラ３３が制御する。
【００４８】
２．エンコードブロックの構成例
続いて、図２を用いて、図１に示したデータ処理エンコード／デコード部３１に設けられているエンコードブロック３１Ａの構成について説明する。
この図２において、フィルタ部７１は、カメラブロック２からの画像データに対して色信号や解像度の変換を行い、画像圧縮の基本処理単位としての１６×１６の画素ブロックからなるマクロブロック単位で画像データを減算器７２に対して出力するようにされる。また、フィルタ部７１に入力される画像データの一部は動き検出部７８に供給される。
【００４９】
動き検出部７８は、例えばメモリ制御部７９の制御に基づいて画像用メモリ８０を作業領域として利用しながら、マクロブロック単位により前後数十〜数百フレーム内の範囲で動き検出を行い、動きありとされれば、この検出結果を動きベクトル情報として動き補償部８１に出力するようにされる。
【００５０】
動き補償部８１は、動きベクトル検出部７８の検出結果に基づいて、その前後フレームのエンコード結果の画像を部分的に移動するなどの動き補償等の画像処理を行う。
減算器７２は、フィルタ部７１からの画像データと動き補償部８１との差分が取り出されてＤＣＴ部（離散コサイン変換部）７３に出力するようにされる。
【００５１】
ＤＣＴ部７３は、減算器７２で取り出された差分データに対してＤＣＴ変換を施した後、量子化部７４に出力するようにされる。
【００５２】
量子化部７４では、データ量を減らすために、再量子化を行って高周波成分を削減するようにされる。この場合、量子化部７４は、後述するオブジェクト検出ブロック９０からの顔画像情報（オブジェクト情報）や後述する照合部１０１からの照合情報を利用してマクロブロックごとの量子化係数を決定するようにされる。即ち、マクロブロックごとの圧縮率を決定するようにしている。
【００５３】
量子化部７４の出力はスキャン部７５に供給される。スキャン部７５では、例えば１フレームの画面左上となるブロックからジグザグとなるようにブロック順の並び替えを行って、可変長符号化部７６に供給するようにされる。可変長符号化部７６では、ランレングスコーディングを行ってさらに情報量を圧縮するようにしている。
可変長符号化部７６から出力される符号化データは、マルチプレクサ７７に供給され、マルチプレクサ７７において、音声圧縮エンコーダ／デコーダ部３２からの音声データが多重化され、ビットストリームとして出力されることになる。
【００５４】
また、量子化部７４の出力は、差分を取るための比較用データとしても利用される。このため、逆量子化部８２と逆ＤＣＴ部８３により構成されるローカルデコーダブロックにも供給される。そして、この逆ＤＣＴ部８３の出力と動き補償部８１の出力を加算器８４で加算してメモリ制御部７９を介して画像用メモリ８６に保持するようにしている。
【００５５】
３．オブジェクト検出ブロックの構成
次に、上記図２に示したオブジェクト検出ブロックを図３及び図４を用いて説明する。なお、本実施の形態では、オブジェクト検出ブロック９０において人物の顔画像をオブジェクトとして検出するものとして説明する。
図３はオブジェクト検出ブロックの構成を示した図である。また図４はオブジェクト検出ブロックにおける顔画像認識のシーケンスの一例を示した図である。
【００５６】
この図３に示すオブジェクト検出ブロック９０は、オブジェクト検出部９１、オブジェクトのパラメータ検出部９４、Ｗａｖｅｌｅｔ変換部９９によって構成される。
【００５７】
オブジェクト検出部９１は、例えば入力される画像データから大まかな顔位置を検出するブロックとされ、この場合は動き検出部（Head Detector）９２と顔検出ブロック（Face Finder）９３を備えて構成される。
動き検出部９２は、入力画像データの前後フレームの画像データから動きがある部分を検出することで、入力画像データに顔画像が含まれている大まかな顔位置を検出するようにされる。
また顔画像検出部（Face Finder）９３は、入力される画像データに対して、顔器官上にノードと呼ばれる特徴点を設定し、グラフマッチングを取るなどして顔と思われる画像部分を検出するようにされる。
【００５８】
上記オブジェクト検出部９１の動き検出部９２、及び顔画像検出部９３に入力される画像データとしては、上記図２に示した動きベクトル検出部７８において動きベクトルを求めるために画像用メモリ８０に数フレームにわたって蓄積されるフレーム単位の画像データとされる。つまり、オブジェクト検出ブロック９０では、画像用メモリ８０に蓄積されるフレーム画像データを利用してオブジェクト検出を行うようにしている。
【００５９】
なお、オブジェクト検出ブロック９０において、実時間で顔画像の検出を行うことができない場合は、オブジェクト検出ブロック９０において顔認識が離散的に行われるように、オブジェクト検出ブロック９０が画像用メモリ８０から画像データを取り込む周期を選択すればよい。
【００６０】
オブジェクトのパラメータ検出部９４は、オブジェクト検出部９１で検出された顔画像の詳細データの検出や処理を行うブロックとされ、顔検出ブロック（Pre Selector）９５、顔の拡大・縮小部９６、顔画像領域検出部（Landmark Finder）９７、背景消去部９８によって構成される。
【００６１】
顔画像検出部９５には、オブジェクト検出部９１において大まかに顔位置が検出されたフレーム単位の入力画像例えば図４（ａ）に示すような入力画像が入力される。
顔画像検出部９５では、図４（ａ）に示した入力画像に対して、例えば図４（ｂ）に示すように５０本程度のノード（特徴点）を割り当てて、さらに詳細に顔部分の検出を行い、後述するＷａｖｅｌｅｔ変換部９９により、それぞれのノードにおける方向性、濃淡や位置関係などから特徴量を検出するようにされる。
【００６２】
顔画像検出部９５で検出された画像は、顔の拡大・縮小部９６に供給され、このような顔の拡大・縮小部９６において、最適な大きさになるように拡大・縮小した後、顔領域検出部９７において各ノードに追従してグラフを適切な位置に会わせるなどして顔領域を切り出するようにされる。
【００６３】
背景消去部９８では、顔領域検出部９７で切り出された顔領域以外の部分は、グレーで埋めるなどした顔画像を検出画像として出力するようにされる。これにより、図４（ｃ）に示すようにな顔部分だけを抽出した抽出画像が顔画像を認識するための顔画像情報として出力される。
【００６４】
Ｗａｖｅｌｅｔ変換部９９は、例えば顔画像における顔器官上にノードと呼ばれる特徴点を設定したときに、それぞれのノードにおける方向性、濃淡や位置関係などの特徴量を検出するようにされる。
【００６５】
なお、オブジェクト検出ブロック９０は、例えば図５に示すように入力画像に複数の顔画像が含まれている場合でも、入力画像から顔画像領域を切り出し、それぞれ切り出した顔画像領域のデータを顔画像情報として出力することが可能とされる。
【００６６】
このように、本実施の形態のビデオカメラでは、オブジェクト検出ブロック９０において、カメラブロック２において撮影された画像にオブジェクトとして顔画像が含まれているかどうかの検出を行うようにしている。そして、カメラブロック２からの入力画像に像顔画像が含まれているときは、そのような顔画像に関する情報をオブジェクト情報として、図２に示した量子化部７４に出力するようにしている。
【００６７】
量子化部７４では、オブジェクト検出ブロック９０から入力されるオブジェクト情報に基づいて、ＤＣＴ部７３から入力される画像データを量子化するときは、例えば、顔画像が含まれるマクロブロックの量子化係数を小さく（圧縮率を小さく）している。またそれ以外のマクロブロックについては、上記顔画像が含まれるマクロブロックより量子化係数を大きく（圧縮率を大きく）している。
なお、顔画像が含まれるマクロブロックを量子化するための量子化係数の値は画質を考慮して適宜設定すれば良い。またそれ以外の領域の量子化係数の値については全体の情報量などを考慮して設定すれば良い。
【００６８】
従って、このように構成すれば、顔画像が含まれるマクロブロックの画像データについては、量子化部７４において、小さい量子化係数を維持したまま量子化を行うことができ、重要とされる顔画像部分については高画質とすることができる。
また、顔画像が含まれるマクロブロック以外の画像データについては、量子化係数を大きくしたことで、顔画像が含まれるマクロブロック以外の画像データについてはデータ量を減らすことができる。これにより、たとえばフレーム画像全体を小さい量子化係数で圧縮する場合に比べて画像情報量を減らすことができるようになる。
【００６９】
４．エンコードブロックの他の構成例
次に、図６を用いて図１に示したデータ処理エンコード／デコード部３１のエンコードブロック３１Ａの他の構成について説明する。なお、上記図２及び図３と同一部位に部３２の図示は省略する。また、この図６では音声圧縮エンコーダ／デコーダ３２の図示は省略する。
【００７０】
この図６に示すデータ処理エンコード／デコード部３１のエンコードブロック３１Ａには、あらかじめ重要と考えられる顔画像を登録しておくための、格納手段であるデータベース１００と、このデータベース１００に登録されている顔画像と、オブジェクト検出ブロック９０において入力画像データから検出した顔画像との照合を行う照合部１０１が設けられている。
【００７１】
データベース１００は、例えば光ディスク５１を利用して構成したり、或いは照合部１０１内にメモリなどを設け、このメモリを利用して構成することが考えられる。
光ディスク５１を利用してデータベース１００を構成する場合、通常、光ディスク５１は、図７に示すように、画像コンテンツを格納するデータエリア１１０と、このデータエリア１１０のアドレス情報や、コンテンツ属性などを格納する管理情報エリア１１１に分けられている。
そこで、光ディスク５１の管理情報エリア１１１を利用して顔画像データなどを登録画像として格納しておくことが考えられる。
その場合には、例えばディスク５１の装填時などにおいて、光ディスク５１から登録画像を読み出して、照合部１０１内のメモリに登録画像を取り込むようにする。
【００７２】
そして、例えば記録時においては、照合部１０１内のメモリに取り込んだ登録画像を読み出して、照合部１０１においてオブジェクト検出ブロック９０で抽出された顔画像情報との照合を行うようにしている。なお、このようなデータベース１００の構成は、あくまでも一例であり、上記構成以外でも良いことは言うまでもない。
【００７３】
照合部１０１では、例えば、図８（ａ）に示すような検出画像の各ノードから得られる情報と、図８（ｂ）に示すようなデータベース１００に予め登録されている登録画像の情報とを比較して照合するようにされる。このような照合部１０１の照合結果は量子化部７４に供給される。なお、この場合の照合部１０１では、オブジェクト検出ブロック９０が画像用メモリ８０から画像データを取り込む周期で、オブジェクト検出ブロック９０からの顔画像情報とデータベース１００の顔画像情報との照合を行うようにすれば良い。
【００７４】
量子化部７４では、照合部１０１からの照合結果に基づいて、ＤＣＴ部７３から入力される画像データを量子化するときは、例えば、照合部１０１においてデータベース１００に登録されている顔画像と一致した顔画像が含まれるフレーム単位の画像データについては、量子化係数を小さくし、それ以外の画像データについては量子化係数を大きくするようにしている。
【００７５】
したがって、このように構成した場合も、例えばデータベース１００に重要度の高い画像として予め登録されていた顔画像が含まれているフレーム画像データについては、量子化部７４において、フレーム画像ごと、小さい量子化係数により量子化が行われるので、顔画像の高画質を図ることができる。
また顔画像が含まれないフレーム画像データについては、顔画像が含まれる部分より、大きい量子化係数により量子化を行うようにしているので、フレーム画像全体の画像情報量を削減することができる。
【００７６】
また、例えば量子化部７４に対して、照合部１０１からの照合結果と共に、破線で示すようにオブジェクト検出ブロック９０の検出結果を供給すれば、特定の顔画像が含まれるフレーム画像から、特定の顔画像部分の量子化係数だけを小さくして高画質化を図り、またそれ以外の画像については、量子化係数を大きくして画像情報量の削減を図ることも可能である。
したがって、このように構成した場合は、ＤＣＴ部７３からのデータのうち、データベース１００に登録されている顔画像と一致する顔画像部分の情報量だけが多くなるので、フレーム画像全体の画像情報量を大幅に削減することができるようになる。
【００７７】
また、照合部１０１の照合結果を、図１に示したメディアドライブ部４のドライバコントローラ４６に供給すれば、ドライバコントローラ４６において、ビデオ信号処理部３からのビットストリームを光ディスク５１に記録するかどうか制御することも可能になる。
【００７８】
例えば、図９（ａ）（ｂ）（ｃ）に示す画像から、オブジェクト検出ブロック９０で顔画像が検出され、照合部１０１において、これらの顔画像のうち、図９（ｂ）に示す顔画像がデータベース１００に登録されている顔画像と一致するという照合結果が得られたとする。
【００７９】
そして、このような照合結果を図１に示すメディアドライブ部４のドライバコントローラ４６に供給することで、ドライバコントローラ４６において、図９（ａ）（ｃ）に示す画像に対応するデータについては光ディスク５１に記録することなく、図９（ｂ）に示す画像に対応するデータだけを光ディスク５１に記録するように制御を行うことが可能になる。
【００８０】
この場合、光ディスク５１には、データベース１００に登録されている顔画像と一致した顔画像が含まれている画像だけが記録される。
これにより、光ディスク５１には重要とされる顔画像が含まれているフレーム画像データだけを記録することができ、光ディスク５１の記録容量を有効利用することができる。
【００８１】
また、照合部１０１の照合結果を図１に示したメディアドライブ部４のドライバコントローラ４６に供給したうえで、上記のように量子化部７４において、特定の顔画像が含まれるフレーム画像から、特定の顔画像部分の量子化係数だけを小さくして高画質化を図るようにすれば、図９（ｂ）に示す画像を光ディスク５１に対して記録するときに、顔部分の画像だけを高画質化して記録することができるようになる。
【００８２】
このようにすれば、光ディスク５１には、データベース１００に登録されている顔画像と一致した顔画像が含まれている画像で、しかも顔画像だけを高画質化した画像だけを記録することができるので、画像情報量をさらに減らすことができ、光ディスク５１の記録容量をさらに有効利用することができる。
【００８３】
また、本実施の形態のように、光ディスク５１を利用してデータベース１００を構成し場合は、例えば光ディスク５１には、データベース１００に登録されている登録画像（顔画像）と一致した顔画像が含まれている入力画像だけを記録することが可能になる。
従って、例えばユーザが記録しておきたい顔画像を光ディスク５１のデータベース１００に登録しておけば、そのような顔画像だけを記録した光ディスク５１を作成するといったことが可能になる。
【００８４】
５．デコードブロックの構成例
また、これまでの説明においては、カメラブロック２で撮影した撮影画像を光ディスク５１に記録するためにデータ処理エンコード／デコード部３１においてエンコードする場合の動作を例に挙げて説明したが、データ処理エンコード／デコード部においてデコードする場合においても本発明を適用することが可能である。
【００８５】
図１０は、データ処理エンコード／デコード部３１のデコードブロック３１Ｂの構成例を示した図である。
なお、図１０に示すデコーダブロック３１Ｂでは、光ディスク５１から読み出されるオーディオデータについての説明は省略し、ビデオデータについてのみ説明する。
また図１０に示すデコードブロックでは、２つのフレームメモリ１２６，１２７を備え、Ｉピクチャ、Ｐピクチャではこれらのフレームメモリ１２６，１２７を交互に使用するものとする。
【００８６】
デッキ部５の光ディスク５１から読み出され、メディアドライブ部４において所定のフォーマットに従ったデコード処理が施されることにより得られるビットストリーム（ビデオビット列）は、受信バッファ１２１を介して可変長符号デコーダ１２２に入力される。そして、可変長符号デコーダ１２２において、上述したエンコードブロック３１Ａの可変長エンコードに対するデコード処理が施される。
【００８７】
可変長符号デコーダ１２２では、Ｉピクチャ、Ｐピクチャ、Ｂピクチャのいずれであるかを示すピクチャタイプＰｔｙｐｅ、イントラ予測（ｉｎｔｒａ）、バックワード／フォワード予測（Ｂ／Ｆ）、フォワード／バックワード予測（Ｆ／Ｂ）のいずれであるかを示すマクロブロックタイプＭｔｙｐｅなどが分離される。
可変長符号デコーダ１２２で分離されたピクチャタイプＰｔｙｐｅは、切替スイッチ１３１の切替制御に利用され、マクロブロックタイプＭｔｙｐｅは切替スイッチ１３２の切替制御に利用されている。
また可変長符号デコーダ１２２で分離された動きベクトルＭＶはフレームメモリ１２６，１２７からのハーフペル動き補償部１２８，１２９において利用されている。
【００８８】
ここで、ピクチャタイプＰｔｙｐｅについて簡単に説明しておくと、圧縮処理される画像信号の各フレームについては、圧縮度の異なる３種類の画像データ（１フレームの映像データ）が設けられる。これらは、Ｉピクチャ(Intra Picture)、Ｐピクチャ(Predicted Picture)、Ｂピクチャ(Bidirectionally predicted Picture)と呼ばれる。
Ｉピクチャは、フレーム内予測画面のみからなる画像データとされ、Ｐピクチャはフレーム間順方向予測により生成される画像データとされる。またＢピクチャはフレーム間双方向予測により生成される画像データとされる。
【００８９】
また可変長符号デコーダ１２２でデコーダされた量子化ＤＣＴ係数(２次元可変長符号)は、逆量子化部１２３、逆ＤＣＴ変換部（ＩＤＣＴ）１２４で変換され、差分画像データとなる。そして、Ｉピクチャ、Ｐピクチャであれば、フレームメモリ１２６，１２７の何れか一方のフレームメモリで、マクロブロックごとに動き補償された対応する位置の画素値を加算器１２５で加算して、他方のフレームメモリ１２７に蓄えるようにする。
Ｉピクチャ、Ｐピクチャのデコード処理中には、現在書き込み中でない方のフレームメモリ１２６，１２７の何れかを出力するようにされる。
【００９０】
また、Ｂピクチャでは、半画素単位で動き補償が行われるハーフペル動き補償部１２８，１２９で２つのフレームメモリ１２６，１２７から並列にハーフペル動き補償が行われる。そして、これらのハーフペル動き補償部１２８，１２９の出力を平均化回路部１３０で平均化すると共に、それぞれに用意された動きベクトルを使って、動き補償した予測画素値を加算器１２５で加算してＢピクチャの再生画像を作成する。この画像はどこにも蓄積することなくそのまま出力するようにされる。
【００９１】
このように図１０に示すデコーダブロックにおいては、Ｂピクチャのときは、デコード処理中の画像をそのまま出力し、Ｉピクチャ、Ｐピクチャのときはハーフペル動き補償に使用している参照画像を出力することで、デコード後の画面の順番替え(Ｉピクチャ、Ｐピクチャの遅延)を行うようにしている。
【００９２】
このようなデコーダブロックに対して、本発明を適用する場合は、例えばフレームメモリ１２６，１２７に蓄積されたＩピクチャ、Ｐピクチャを適当な間隔でスキャンしながらオブジェクト検出ブロック９０に供給するようにしている。
【００９３】
この場合のオブジェクト検出ブロック９０も、上記同様の構成とされ、入力されるＩピクチャ、Ｐピクチャの画像情報から顔画像の検出を行い、その検出結果に応じて、メディアドライブ部４のドライバコントローラ４６に顔画像情報を出力するようにされる。
そして、ドライバコントローラ４６は、このようなオブジェクト検出ブロック９０からの顔画像情報に基づいて、光ディスク５１からのデータ読み出し動作の制御を行うようにしている。
【００９４】
これにより、例えば、オブジェクト検出ブロック９０において顔画像が検出されるまではメディアドライブ部４においてデッキ部５の光ディスク５１から高速でデータの読み出しを行うといった高速ピクチャサーチを実現することができる。
【００９５】
また、照合部１０１において、オブジェクト検出ブロック９０において検出された顔画像をデータベース１００に予め登録された顔画像を登録したデータベースと照合し、データベース１００の顔画像と一致する顔画像が含まれる画像だけをサーチして再生するといったことも可能になる。
【００９６】
ところで、これまで説明した本実施の形態では、人物を特定するにあたって、オブジェクト検出ブロック９０において検出された顔画像情報と、データベース１００に登録されている顔画像情報を照合して人物を特定するようにしている。
しかしながら、このようにして人物の特定を行ったとしても、人物の顔が極端に似通っている場合などは照合結果に誤りが発生することがある。
【００９７】
そこで、例えば上記したようなオブジェクト検出ブロック９０における顔画像情報の照合と併用して音声データを利用した話者認識を行い、より確実に人物を特定することも考えられる。
【００９８】
６．話者認識部の構成例
ここで、図１１に話者認識ブロックの一例を示す。
なお、このような話者認識ブロックは、例えば図１に示す音声圧縮エンコーダ／デコーダ部３２内に設けられるものである。
この図１１に示す特徴パラメータ抽出部１４１は、入力される音声データから特徴パラメータを抽出して類似度計算部１４２に供給するようにされる。
類似度計算部１４２には、データベース１００などに予め登録されている声データから特徴パラメータ抽出部１４４で抽出された特徴パラメータが供給されており、類似度計算部１４２はこれらのパラメータから類似度を計算するようにされる。
そして、この類似度計算部１４２の計算結果に基づいて話者認識判定部１４３で該当する話者かどうかの判定を行い、その判定結果を話者情報として出力するようにされる。
したがって、この話者情報をデータ処理エンコード／デコード部３１の量子化部７４に供給すれば、量子化部７４では、このような話者情報とオブジェクト検出ブロック９０から顔画像を認識するための顔画像情報（オブジェクト情報）と併用して人物（オブジェクト）などの特定を行うことが可能になる。
【００９９】
なお、オブジェクト検出ブロック９０で検出された顔画像情報と動きベクトルを併用して人物の特定する、さらには上記した話者認識情報を含めて人物の特定を行うようにすれば、人物の特定をより確実に行うことができるようになる。
【０１００】
なお、本実施の形態では、オブジェクト検出ブロック９０においては、オブジェクトとして顔画像を検出する場合を例に挙げて説明したが、これはあくまでも一例であり、オブジェクト検出ブロックにおいて他のオブジェクト、例えば自動車などの形や、文字などを検出するように構成しても良い。
【０１０１】
また、本実施の形態においては、本発明をビデオカメラに適用した場合を例に挙げて説明したが、これはあくまでも一例であり、本発明はビデオカメラ以外の各種記録再生装置に適用可能である。
また、記録媒体として記録可能な光ディスク５１としては、ＣＤ（Compact Disc）方式のディスク、ＤＶＤ（Digital Versatile Disc）方式のディスク、ブルーレイ（Blu-Ray）方式のディスクなど各種ディスクを例に挙げて説明したが、これはあくまでも一例であり、ミニディスク（Mini Disk）や、ＨＤＤ（ハードディスクドライブ）、或いはフラッシュメモリなどのメモリカードなどを、記録媒体として利用することも可能である。
【図面の簡単な説明】
【０１０２】
【図１】本発明の実施の形態のビデオカメラの構成を示したブロック図である。
【図２】データ処理エンコード部の構成を示した図である。
【図３】図２に示したオブジェクト検出ブロックの構成例を示した図である。
【図４】顔画像認識のシーケンスの一例を示した図である。
【図５】顔画像認識による顔画像の検出の一例を示した図である。
【図６】データ処理エンコード部の他の構成を示した図である。
【図７】データベースの一例を示した図である。
【図８】照合部における照合を説明するための図である。
【図９】記録時の記録動作を説明するための図である。
【図１０】データ処理デコード部の構成を示した図である。
【図１１】話者認識の構成を示したブロック図である。
【符号の説明】
【０１０３】
１  レンズブロック、２  カメラブロック、３  ビデオ信号処理部、４  メディアドライブ部、５  デッキ部、３１  データ処理エンコード／デコード部、３２  音声圧縮エンコーダ／デコーダ部、３３  ビデオコントローラ、４６  ドライバコントローラ、５１  光ディスク、７１  フィルタ部、７２  減算器、７３  ＤＣＴ部、７４  量子化部、７５  スキャン部、７６  可変長符号化部、７７  マルチプレクサ、７８  動きベクトル検出部、７９  ８５  メモリ制御部、８０  ８６  画像用メモリ、８１  動き補償部、８２  逆量子化部、８３  逆ＤＣＴ部、８４  加算器、９０  オブジェクト検出ブロック、９１  オブジェクト検出部、９２  動き検出部、９３  顔画像検出部、９４  パラメータ検出部、９５  顔画像検出部、９６  拡大・縮小部、９７  顔画像領域検出部、９８  背景消去部、９９  Ｗａｖｅｌｅｔ変換部、１００  データベース、１０１  照合部、１１０  データエリア、１１１  管理情報エリア、１２１  受信バッファ、１２２  可変長符号デコーダ、１２３  逆量子化部、１２４  ＩＣＤＴ、１２５  加算器、１２６  １２７  フレームメモリ、１２８  １２９  ハーフペル動き補償部、１３０  平均化部、１４１  特徴パラメータ抽出部、１４２  類似度計算部、１４３  話者認識判定部、１４４  特徴パラメータ抽出部
【図１】
2005109606.tif 000003
【図２】
2005109606.tif 000004
【図３】
2005109606.tif 000005
【図４】
2005109606.tif 000006
【図５】
2005109606.tif 000007
【図６】
2005109606.tif 000008
【図７】
2005109606.tif 000009
【図８】
2005109606.tif 000010
【図９】
2005109606.tif 000011
【図１０】
2005109606.tif 000012
【図１１】
2005109606.tif 000013